(57)【要約】【課題】利便性を向上させることができる取付部材を提供する。【解決手段】磁石２３が取付面Ｅ１に一方の磁極を向けつつ取付面Ｅ１との間に被挿通部２２３を挟んで配置されていることで、回動部材は起立位置と倒伏位置との２つの安定位置をとることができる。従って、使用の目的や状態に応じて回動部材２２をいずれかの安定位置に位置づけることができ、利便性を向上させることができる。取付部材２が固定された電子機器ＥをインストルメントパネルＩから取り外して使用する場合には、回動部材２２を倒伏位置に位置づけることにより、取付部材２による取付面Ｅ１からの突出を小さくすることができる。また、回動部材２２を起立位置に位置づけるとともに電子機器ＥをインストルメントパネルＩに接近させることにより、電子機器ＥをインストルメントパネルＩに取り付けることができる。【選択図】図２
2018003913.tif 000002
【特許請求の範囲】
【請求項１】
第１部材の取付面に第２部材を取り付ける取付部材であって、
前記取付面に固定される保持部と、
前記保持部に保持される磁性体の回動部材と、
前記回動部材に磁力を作用させる磁石と、を備え、
前記保持部は、前記取付面に沿って延びて前記回動部材の被挿通部が挿通される挿通部を有し、
前記磁石は、前記取付面に一方の磁極を向けつつ該取付面との間に前記被挿通部を挟むように配置され、
前記回動部材は、前記被挿通部以外の一部と前記磁石と前記被挿通部とが順に並んで起立可能な形状を有することを特徴とする取付部材。
【請求項２】
前記回動部材には、前記取付面から起立するように配置される起立位置と、前記取付面に沿うように配置される倒伏位置と、の２つの位置を安定位置とするように、前記磁石による磁力が作用することを特徴とする請求項１に記載の取付部材。
【請求項３】
前記保持部は、前記取付面と対向する対向内面を有し、
前記回動部材は、前記起立位置に位置づけられた際に、前記挿通部に交差する方向に並ぶ複数箇所、又は、前記挿通部に交差する方向に延びる面によって前記対向内面に当接可能であることを特徴とする請求項２に記載の取付部材。
【請求項４】
前記保持部と前記回動部材と前記磁石とによってそれぞれ構成される一対の取付ユニットを備え、
前記一対の取付ユニットは、前記挿通部同士が平行に延びるように、該挿通部に交差する方向を対向方向として配置されていることを特徴とする請求項１〜３のいずれか１項に記載の取付部材。
【請求項５】
前記一対の取付ユニットにおける前記磁石は、磁極の向きが互いに反対となるように配置されていることを特徴とする請求項４に記載の取付部材。
【請求項６】
前記回動部材は、環状に形成されていることを特徴とする請求項１〜５のいずれか１項に記載の取付部材。
【請求項７】
第１部材の取付面に第２部材を取り付けるための取付装置であって、
請求項１〜６のいずれか１項に記載された取付部材と、該取付部材に取り付けられる第２取付部材と、を備え、
前記取付部材が前記第１部材に固定されるとともに、前記第２取付部材が前記第２部材に固定され、
前記第２取付部材は、前記磁石に引き寄せられる磁性体と、前記取付面から起立した前記回動部材に係止される係止部と、を有することを特徴とする取付装置。
【発明の詳細な説明】
【技術分野】
【０００１】
本発明は、取付部材に関する。
【背景技術】
【０００２】
従来、車両のシート（第１部材）の背面（取付面）に手荷物（第２部材）を掛ける（取り付ける）ための車両用フック（取付部材）が提案されている（例えば、特許文献１参照）。特許文献１に記載された従来の車両用フックでは、フック本体が水平方向に延びるようにばねによって付勢されており、手荷物が掛けられた際、手荷物の重量によってフック本体が回動するようになっている。このとき、フック本体の回動に伴って蓋も回動し、手荷物が外れにくくなっている。
【先行技術文献】
【特許文献】
【０００３】
【特許文献１】特開平７−２５１６７８号公報
【発明の概要】
【発明が解決しようとする課題】
【０００４】
特許文献１の車両用フックのように、ばねによってフック本体を付勢すれば、フック本体やその周辺の部材に所定の機能を持たせることができるが、ばねによる付勢は一方向であるため、外力が加わっていないフック本体は１つの安定位置のみを有する。従って、使用の目的や状態に応じてフック本体の位置を適宜に切り換える（例えば不使用時に収容位置に位置づけて省スペース化するとともに、使用時にのみ使用位置に位置づける）ことが困難であり、利便性が低かった。
【０００５】
したがって、本発明の課題は、利便性を向上させることができる取付部材を提供することが一例として挙げられる。
【課題を解決するための手段】
【０００６】
前述した課題を解決し目的を達成するために、請求項１に記載の本発明の取付部材は、第１部材の取付面に第２部材を取り付ける取付部材であって、前記取付面に固定される保持部と、前記保持部に保持される磁性体の回動部材と、前記回動部材に磁力を作用させる磁石と、を備え、前記保持部は、前記取付面に沿って延びて前記回動部材の被挿通部が挿通される挿通部を有し、前記磁石は、前記取付面に一方の磁極を向けつつ該取付面との間に前記被挿通部を挟むように配置され、前記回動部材は、前記被挿通部以外の一部と前記磁石と前記被挿通部とが順に並んで起立可能な形状を有することを特徴としている。
【図面の簡単な説明】
【０００７】
【図１】本発明の実施例に係る取付装置を示す斜視図である。
【図２】前記取付装置の取付部材を示す斜視図である。
【図３】前記取付装置の第２取付部材を示す斜視図である。
【図４】前記取付部材の動作を示す側面図である。
【図５】前記取付部材に前記第２取付部材を取り付ける様子を示す側面図である。
【図６】前記取付部材および前記第２取付部材に外力が作用した様子を示す側面図である。
【図７】前記取付部材から前記第２取付部材を取り外す様子を示す平面図である。
【図８】前記取付部材から前記第２取付部材を取り外す様子を示す断面図である。
【図９】本発明の変形例に係る取付装置を示す側面図である。
【図１０】前記取付装置の取付部材を示す平面図である。
【図１１】前記取付装置の第２取付部材を示す平面図である。
【発明を実施するための形態】
【０００８】
以下、本発明の実施形態を説明する。本発明の実施形態に係る取付部材は、第１部材の取付面に第２部材を取り付ける取付部材であって、取付面に固定される保持部と、保持部に保持される磁性体の回動部材と、回動部材に磁力を作用させる磁石と、を備える。保持部は、取付面に沿って延びて回動部材の被挿通部が挿通される挿通部を有する。磁石は、取付面に一方の磁極を向けつつ取付面との間に被挿通部を挟むように配置される。回動部材は、被挿通部以外の一部と磁石と被挿通部とが順に並んで起立可能な形状を有する。
【０００９】
取付面に一方の磁極を向けつつ取付面との間に被挿通部を挟むように磁石が配置されていることで、回動部材は、被挿通部以外の一部と磁石と被挿通部とが順に並ぶように、取付面に対して起立した安定位置をとることができる。また、回動部材が取付面に沿うように倒伏した状態においては、回動部材が例えば円環状であるような場合には、回動部材はこのような安定位置もとることができる。従って、保持部によって回動可能に保持された回動部材は、その形状によって２つの安定位置を有し、使用の目的や状態に応じていずれかの安定位置に位置づけることができ、利便性を向上させることができる。
【００１０】
保持部は、取付面と対向する対向内面を有し、回動部材は、起立位置に位置づけられた際に、挿通部に交差する方向に並ぶ複数箇所、又は、挿通部に交差する方向に延びる面によって対向内面に当接可能であることが好ましい。それにより、回動部材を、使用の目的や状態に応じて起立位置または倒伏位置に位置づけることができる。
【００１１】
回動部材は、起立位置に位置づけられた際に、挿通部に交差する方向に並ぶ複数箇所、又は、挿通部に交差する方向に延びる面によって対向内面に当接可能であることが好ましい。それにより、起立位置において回動部材が回動しにくくなり、外力による意図しない倒伏を抑制することができ、安定して使用することができる。
【００１２】
保持部と回動部材と磁石とによってそれぞれ構成される一対の取付ユニットを備え、一対の取付ユニットは、挿通部同士が平行に延びるように、挿通部に交差する方向を対向方向として配置されていることが好ましい。それにより、取付部材に対して相手側の部材を取り付けた際に、対向配置された一対の回動部材を起立させ、相手側の部材をこれらの回動部材によって挟み込むようにしつつ係止させることができ、取付部材と相手側の部材とを外れにくくすることができる。
【００１３】
一対の取付ユニットにおける磁石は、磁極の向きが互いに反対となるように配置されていることが好ましい。それにより、取付部材に対して取り付けられる相手側の部材に磁性体を設ければ、一方の磁石からこの磁性体を通過して他方の磁石に向かうような磁気回路が形成され、取付部材に相手側の部材を強固に取り付けることができる。
【００１４】
回動部材は、環状に形成されていることが好ましい。それにより、取付部材に対して取り付けられる相手側の部材を、起立させた回動部材の内側に挿通することができ、取付部材から相手側の部材を外れにくくすることができる。
【００１５】
本発明の実施形態に係る取付装置は、第１部材の取付面に第２部材を取り付けるための取付装置であって、上記の取付部材と、取付部材に取り付けられる第２取付部材と、を備える。取付部材が第１部材に固定されるとともに、第２取付部材が第２部材に固定される。第２取付部材は、磁石に引き寄せられる磁性体と、取付面から起立した回動部材に係止される係止部と、を有する。それにより、磁石と磁性体との間にはたらく磁力によって取付部材と第２取付部材とを取り付けることができる。また、取付部材と第２取付部材とが離れるように外力が作用しても、回動部材に係止部を係止させることにより、取付部材から第２取付部材が外れにくい。尚、係止部は回動部材によって常に係止されるものでなくてもよく、少なくとも取付部材から第２取付部材が外れようとした場合に係止されればよい。
【実施例】
【００１６】
以下、本発明の実施例について具体的に説明する。図１は、本発明の実施例に係る取付装置１を示す斜視図であり、図２は、取付装置１の取付部材２を示す斜視図であり、図３は、取付装置１の第２取付部材３を示す斜視図であり、図４は、取付部材２の動作を示す側面図であり、図５は、取付部材２に第２取付部材３を取り付ける様子を示す側面図であり、図６は、取付部材２および第２取付部材３に外力が作用した様子を示す側面図であり、図７は、取付部材２から第２取付部材３を取り外す様子を示す平面図であり、図８は、取付部材２から第２取付部材３を取り外す様子を示す断面図である。
【００１７】
本実施例の取付装置１は、図１〜３に示すように、第１部材としての電子機器（スマートフォン等）Ｅの取付面Ｅ１に、第２部材としての車両のインストルメントパネルＩを取り付けるためのものであって、電子機器Ｅの裏面を取付面Ｅ１として固定される取付部材２と、インストルメントパネルＩにおける搭乗者側の面を取付面Ｉ１として固定される第２取付部材３と、を備える。
【００１８】
取付部材２は、取付面Ｅ１に固定される固定部材２１と、２つの回動部材２２と、２つの磁石２３と、を有する。
【００１９】
固定部材２１は、例えば樹脂によって全体が直方体状に形成され、取付面Ｅ１に固定される面を底面２１１とし、その反対側の面を上面２１２とする。底面２１１は、長方形状に形成されるとともに、長辺方向の両端近傍に、短辺方向に沿って延びる互いに平行な凹部２１１Ａ、２１１Ｂが形成されている。凹部２１１Ａ、２１１Ｂは、取付面Ｅ１との間に、回動部材２２の後述する被挿通部２２３が挿通される挿通孔を形成し、挿通部として機能する。即ち、底面２１１の短辺方向を挿通部の延在方向とするとともに、長辺方向を対向方向として、固定部材２１は２つの保持部２１Ａ、２１Ｂを有している。
【００２０】
凹部２１１Ａ、２１１Ｂは、回動部材２２を後述する倒伏位置に位置づけることができるように、回動部材２２の形状に合わせて長辺方向の中央側において凹に形成されている。尚、図１において凹部２１１Ａ、２１１Ｂは長辺方向の外側においても凹に形成されているが、この部分は平坦に形成されていてもよい。
【００２１】
凹部２１１Ａ、２１１Ｂの底面２１０は、取付面Ｅ１に対向し、保持部２１Ａ、２１Ｂの対向内面として機能する。
【００２２】
固定部材２１の上面２１２は、第２取付部材３の後述する前面３３Ａに対応し、凹状の曲面となっている。また、上面２１２における長辺方向の中央部には、位置合わせ凹部２１２Ａが形成されている。位置合わせ凹部２１２Ａは、第２取付部材３の後述する四角錐状の位置合わせ突起３３５が嵌まり合うような形状を有している。
【００２３】
回動部材２２は、例えば強磁性体金属の線材を螺旋状に巻き回すことで円環状に形成されており、その巻数は、本実施例では２回であるものとする。即ち、回動部材２２において線材が軸方向に二重に並んでいるものとする。従って、回動部材２２は、図１、２に示すように取付面Ｅ１に対して起立した起立位置に位置づけられた際に、底面２１１の長辺方向に並んだ２つの当接部（環の内周側の一部）２２１、２２２によって対向内面としての底面２１０に当接可能となっている。尚、回動部材２２は、磁石２３と充分に相互作用可能な磁化率を有する材質で構成されていればよい。
【００２４】
回動部材２２のうち一部が、挿通部としての凹部２１１Ａ、２１１Ｂによって形成された挿通孔に挿通され、この部分が被挿通部２２３となり、被挿通部２２３から最も離れた部分が起立端部２２４となる。これにより、回動部材２２は、被挿通部２２３を中心として起立端部２２４が回動するように、保持部２１Ａ、２１Ｂによって回動可能に保持される。
【００２５】
尚、回動部材２２のうち予め定められた部分が被挿通部２２３とならなくてもよく、凹部２１１Ａ、２１１Ｂに位置づけられた部分を被挿通部２２３とすればよい。また、回動部材は、円環状のものに限定されず、多角形状の平面視形状を有していてもよい。また、回動部材は、被挿通部以外の一部（起立端部）と磁石２３と被挿通部とが順に並ぶように起立可能な形状を有していればよく、完全な閉ループを形成していなくてもよい。回動部材は、例えば環の一部が欠落した形状であってもよいし、Ｃ字状やＵ字状等の形状であってもよい。
【００２６】
磁石２３は、一面をＮ極とするとともに他面をＳ極とする円柱状に形成され、これらの面が取付面Ｅ１と略平行となるように、凹部２１１Ａ、２１１Ｂを挟んで取付面Ｅ１と反対側に固定部材２１に内蔵される。即ち、磁石２３は、取付面Ｅ１に一方の磁極（Ｎ極又はＳ極）を向けつつ、凹部２１１Ａ、２１１Ｂに挿通された回動部材２２の被挿通部２２３を取付面Ｅ１との間に挟むように配置される。
【００２７】
以上のような２つの保持部２１Ａ、２１Ｂと、２つの回動部材２２と、２つの磁石２３と、によって一対の取付ユニット２０Ａ、２０Ｂが構成される。一対の取付ユニット２０Ａ、２０Ｂは、凹部２１１Ａ、２１１Ｂ同士が平行に延びるように、固定部材２１における底面２１１の長辺方向を対向方向として配置されている。
【００２８】
一対の取付ユニット２０Ａ、２０Ｂにおける磁石２３は、磁極の向きが互いに反対となるように配置されている。即ち、２つの磁石２３のうち一方が取付面Ｅ１に対してＮ極を向け、他方がＳ極を向けるように配置されている。
【００２９】
以上のような取付部材２の動作について図４を参照して説明する。まず、磁石２３が取付面Ｅ１に一方の磁極を向けつつ取付面Ｅ１との間に被挿通部２２３を挟むように配置されることで、磁石２３の磁力によって、回動部材２２は図４（Ａ）に示すように取付面Ｅ１に対して直交するように起立しようとする。即ち、回動部材２２には、取付面Ｅ１に対して直交するように起立した起立位置を安定位置として、磁石２３による磁力が作用する。
【００３０】
また、２つの回動部材２２が互いに離れるように倒れようとした際、所定の角度以上倒れると、磁石２３の磁力によって、回動部材２２は図４（Ｂ）に示すように取付面Ｅ１に沿うように倒れようとする。即ち、回動部材２２には、取付面Ｅ１に沿うように倒れた倒伏位置を安定位置として、磁石２３による磁力が作用する。
【００３１】
従って、図４（Ｃ）に示すように回動部材２２が取付面Ｅ１に対して傾斜している状態においては、回動部材２２は磁石２３の磁力によって、傾斜角度に応じて起立位置または倒伏位置になろうとする。
【００３２】
第２取付部材３は、図３に示すように、インストルメントパネルＩの取付面Ｉ１に固定される土台部３１と、取付面Ｉ１から離れるように土台部３１から延びる軸部３２と、軸部３２の先端に設けられる板部３３と、板部３３に内蔵される磁性体３４と、を備える。土台部３１と軸部３２と板部３３とは、例えば樹脂によって一体に形成されているものとする。
【００３３】
板部３３は、各辺が内側に凹んだ正方形状に形成され、その頂点を含む４つの凸状部が形成されており、この凸状部が係止部３３１〜３３４となる。板部３３の前面（取付面Ｉ１と同一の側を向いた面）３３Ａは、取付面Ｉ１から離れる方向に凸の曲面となっており、背面（取付面Ｉ１と対向する面）３３Ｂは、図５に示すように取付面Ｉ１から見て凹状の曲面となっている。
【００３４】
前面３３Ａの中心部には、四角錐状の位置合わせ突起３３５が形成されている。この四角錐の底面における角はそれぞれ板部３３の頂点（係止部３３１〜３３４）に向けられている。尚、位置合わせ突起３３５は、完全な錐体でなくてもよく、その側面は曲面状に形成されていてもよい。
【００３５】
磁性体３４は、例えば鉄等の強磁性体によって十字の板状に形成され、板部３３の内側に埋め込まれている。即ち、磁性体３４は、対向する係止部３３１、３３３に亘って設けられる長方形状の板と、対向する係止部３３２、３３４に亘って設けられる長方形状の板と、を組み合わせた形状を有している。
【００３６】
ここで、取付部材２に第２取付部材３を取り付ける方法および手順について、図５に基づいて説明する。まず、取付部材２において、図５（Ａ）に示すように２つの回動部材２２を起立位置に位置づける。このような状態において、第２取付部材３の前面３３Ａを取付部材２の上面２１２に対向させるとともに、係止部３３１、３３３のそれぞれを回動部材２２及び磁石２３に対して位置合わせしつつ、取付面Ｅ１の面直方向に沿って取付部材２と第２取付部材３とを相対接近させる。
【００３７】
回動部材２２の起立端部２２４が第２取付部材３の前面３３Ａに当接すると、前面３３Ａが上記のような凸状の曲面となっていることから、２つの回動部材２２は、図５（Ｂ）に示すように起立端部２２４が互いに離れる方向に回動する。さらに相対接近を続け、係止部３３１、３３３を起立端部２２４よりも取付面Ｅ１側に位置づけると、回動部材２２が磁石２３の磁力によって起立位置に戻る。これにより、係止部３３１、３３３が回動部材２２の内側に挿通される。
【００３８】
さらに相対接近を続けると、第２取付部材３の前面３３Ａが取付部材２の上面２１２に当接するとともに、位置合わせ突起３３５が位置合わせ凹部２１２Ａに嵌まり込む。このとき、位置合わせ突起３３５が四角錐状に形成されていることで、位置合わせ突起３３５と位置合わせ凹部２１２Ａとが多少位置ずれしていたり、取付部材２と第２取付部材３とが正規の状態から多少回転していたりしても、位置合わせ突起３３５が位置合わせ凹部２１２Ａの周囲や内壁に当接することによって正規の位置に案内されるようになっている。
【００３９】
以上のように取付部材２と第２取付部材３とを相対接近させる際、取付部材２の磁石２３に第２取付部材３の磁性体３４が引き寄せられることにより、接近させる方向に力がはたらく。また、図５（Ｃ）に示す状態においては、一方の磁石２３の上面から延びる磁力線は、磁性体３４の内側を通って他方の磁石２３の上面に向かう。このような状態において、磁力によって取付部材２への第２取付部材３の取り付けが維持される。
【００４０】
次に、図５（Ｃ）に示すように取付部材２に第２取付部材３が取り付けられた状態において、例えば車両が急発進または急停車することにより、取付部材２と第２取付部材３とが離れるような力が作用した場合について説明する。取付部材２から第２取付部材３が離れることで、図６に示すように第２取付部材３の背面３３Ｂが回動部材２２の起立端部２２４の内側に当接する。このとき、背面３３Ｂが上記のような凹状の曲面となっていることから、係止部３３１、３３３が回動部材２２によって係止される。また、離れるような力が作用しなくなったら、磁力によって再び図５（Ｃ）に示す状態に戻る。
【００４１】
尚、上記の取付方法では対向する係止部３３１、３３３のそれぞれを回動部材２２及び磁石２３に対して位置合わせするものとしたが、係止部３３１、３３３のそれぞれが対向する取付ユニット２０Ａ、２０Ｂを入れ替えてもよいし、係止部３３２、３３４のそれぞれを回動部材２２及び磁石２３に対して位置合わせしてもよい。即ち、取付部材２への第２取付部材３の取り付け角度は、９０°ずつ変更することができ、４通りの取り付けが可能となっている。
【００４２】
ここで、取付部材２から第２取付部材３を取り外す方法について図７に基づいて説明する。図７（Ａ）に示すように取付部材２に第２取付部材３が取り付けられて係止部３３１、３３３が回動部材２２に挿通されている状態から、位置合わせ突起３３５の頂点を中心Ｏとして取付部材２と第２取付部材３とを相対回転させると、図７（Ｂ）に示すように、係止部３３１、３３３が回動部材２２の内側に当接する。このとき、係止部３３１、３３３のうち回動部材２２に当接する部分は、中心Ｏを通る径方向に対し、回転方向側に鋭角θが形成される傾斜部３３１Ａ、３３３Ａとなっている。従って、板部３３が回転することにより、係止部３３１、３３３によって回動部材２２に対し、中心Ｏを有する円の径方向外側への力が作用する。
【００４３】
相対回転をさらに続けると、回動部材２２の起立端部２２４同士が互いに離れようとし、図７（Ｃ）に示すように、回動部材２２が被挿通部２２３を中心に回動する。これにより、係止部３３１、３３３が回動部材２２の内側から抜け出し、取付部材２と第２取付部材３とを取付面Ｅ１、Ｉ１の面直方向に沿って離すことができ、取付部材２から第２取付部材３を取り外すことができるようになる。
【００４４】
また、取付部材２と第２取付部材３とを相対回転させた際、位置合わせ突起３３５と位置合わせ凹部２１２Ａとによって次のような作用が得られる。まず、位置合わせ突起３３５は四角錐状に形成されていることから、２本の稜線（側面同士の境界）を通る断面の方が、頂点および側面を通る断面よりも幅が広い。また、位置合わせ凹部２１２Ａも、幅が広い部分と幅が狭い部分とを有する。
【００４５】
図５（Ｃ）、図７（Ａ）に示すように取付部材２に第２取付部材３が取り付けられた状態においては、図８（Ａ）に示すように位置合わせ突起３３５が位置合わせ凹部２１２Ａに嵌まり込み、位置合わせ凹部２１２Ａのうち幅が広い部分には位置合わせ突起３３５の幅が広い部分が位置し、位置合わせ凹部２１２Ａのうち幅が狭い部分には位置合わせ突起３３５の幅が狭い部分が位置する。
【００４６】
このような状態から取付部材２と第２取付部材３とを相対回転させると、位置合わせ突起３３５の幅が広い部分が、位置合わせ凹部２１２Ａのうち幅が狭い部分に位置しようとし、位置合わせ突起３３５の稜線が位置合わせ凹部２１２Ａの内壁に当接し、固定部材２１と板部３３とを離すような力がはたらく。これにより、相対回転によって上記のように回動部材２２を回動させるだけでなく、取付部材２と第２取付部材３とを離れさせて磁石２３と磁性体３４との間にはたらく引力を弱めることができ、取付部材２から第２取付部材３を取り外しやすくなっている。
【００４７】
上記の構成により、磁石２３が取付面Ｅ１に一方の磁極を向けつつ取付面Ｅ１との間に被挿通部２２３を挟んで配置されていることで、回動部材２２は起立位置と倒伏位置との２つの安定位置をとることができる。従って、使用の目的や状態に応じて回動部材２２をいずれかの安定位置に位置づけることができ、利便性を向上させることができる。
【００４８】
例えば、取付部材２が固定された電子機器ＥをインストルメントパネルＩから取り外して使用する場合には、回動部材２２を倒伏位置に位置づけることにより、取付部材２の取付面Ｅ１からの突出を小さくすることができる。また、回動部材２２を起立位置に位置づけるとともに電子機器ＥをインストルメントパネルＩに接近させることによって、電子機器ＥをインストルメントパネルＩに取り付けることができる。
【００４９】
また、起立位置に位置づけられた回動部材２２が、底面２１１の長辺方向に並んだ２つの当接部２２１、２２２によって２箇所で対向内面としての底面２１０に当接可能であることで、起立位置において回動部材２２が回動しにくくなり、外力による意図しない倒伏を抑制することができ、安定して使用することができる。
【００５０】
また、一対の取付ユニット２０Ａ、２０Ｂにおける磁石２３が、磁極の向きが互いに反対となるように配置されていることで、一方の磁石２３の上面から延びる磁力線が、磁性体３４の内側を通って他方の磁石２３の上面に向かうように延び、取付部材２に第２取付部材３を強固に取り付けることができる。
【００５１】
また、回動部材２２が環状に形成されていることで、起立させた回動部材２２の内側に第２取付部材３の係止部３３１〜３３４を挿通することができ、回動部材２２に係止部３３１〜３３４を係止させ、取付部材２から第２取付部材３を外れにくくすることができる。
【００５２】
なお、本発明は、前記実施例に限定されるものではなく、本発明の目的が達成できる他の構成等を含み、以下に示すような変形等も本発明に含まれる。
【００５３】
例えば、前記実施例では、それぞれ２つの保持部２１Ａ、２１Ｂと回動部材２２と磁石２３とによって一対の取付ユニット２０Ａ、２０Ｂが構成されるものとしたが、１つの取付ユニットのみが構成されていてもよく、このような取付装置として、変形例に係る取付装置１０を図９〜１１に示す。
【００５４】
取付装置１０は、第１部材としての電子機器（スマートフォン等）Ｅの取付面Ｅ１に、第２部材としての車両のインストルメントパネルＩを取り付けるためのものであって、電子機器Ｅの裏面を取付面Ｅ１として固定される取付部材４と、インストルメントパネルＩにおける搭乗者側の面を取付面Ｉ１として固定される第２取付部材５と、を備える。
【００５５】
取付部材４は、取付面Ｅ１に固定される固定部材４１と、１つの回動部材４２と、３つの磁石４３〜４５と、を有する。
【００５６】
固定部材４１は、長方形状の板本体４１１と、板本体４１１の長辺から突出した突出部４１２と、を一体に有して全体が板状に形成されている。固定部材４１のうち取付面Ｅ１側の面を底面４１Ａとしてその反対側の面を上面４１Ｂとした場合、上面４１Ｂには、四角錐状の複数の突起４１３が形成されている。複数の突起４１３は板本体４１１の長辺方向及び短辺方向に並ぶように、上面４１Ｂ全体に亘って形成されている。
【００５７】
突出部４１２には、板本体４１１の長辺方向に貫通する挿通部としての挿通孔４１２Ａが形成され、固定部材４１が保持部として機能するようになっている。
【００５８】
回動部材４２は、強磁性体金属によって長方形状の環状に形成され、挿通孔４１２Ａに挿通される被挿通部４２１を有する。
【００５９】
磁石４３〜４５は、円盤状に形成されている。磁石４３は、取付面Ｅ１に一方の磁極を向けつつ取付面Ｅ１との間に被挿通部４２１を挟むとともに、主に突出部４１２内に位置するように配置される。磁石４４、４５は、長辺方向に並ぶように板本体４１１内に位置するように配置される。
【００６０】
第２取付部材５は、正方形状の板状に形成され、その２辺に沿うように形成されたＬ字状の孔５１と、孔５１内において各辺に向かって突出した係止部５２、５３と、を有する。また、第２取付部材５のうち取付面Ｉ１に対向する面を底面５Ａとしてその反対側の面を上面５Ｂとした場合、上面５Ｂのうち、Ｌ字状の孔５１の角と対向する角部を含む全体の略１／４の領域には、一辺に沿って延びる複数の山部５４が並んでいる。また、第２取付部材５は、複数の山部５４が形成された領域に埋め込まれた板状の磁性体５５を有する。
【００６１】
以上のような取付装置１０においても、前記実施例の取付装置１と同様に、取付部材４の回動部材４２は、取付面Ｅ１から起立した起立位置、及び、取付面に沿った倒伏位置を安定位置とする。このとき、取付部材４の突出部４１２には、回動部材４２に当接する規制部４１２Ｂが設けられており、回動部材４２が直立しないようになっている。これにより、回動部材４２が起立位置から一方向にのみ回動することが許容され、後述するように取付部材４に第２取付部材５を取り付ける際に、回動部材４２が係止部５２、５３の基端側に倒れないようになっている。
【００６２】
取付部材４に第２取付部材５を取り付ける際には、係止部５２又は係止部５３に回動部材４２を位置合わせしつつ、これらを相対接近させればよい。これにより、前記実施例と同様に回動部材４２に係止部５２、５３が挿通される。また、係止部５２が挿通される場合には磁石４５と磁性体５５とが引き寄せられ、係止部５３が挿通される場合には磁石４４と磁性体５５とが引き寄せられる。
【００６３】
取付部材４に第２取付部材５が取り付けられた状態では、取付部材４の突起４１３が、第２取付部材５の山部５４同士の間の谷状の部分と噛み合い、面内方向に沿った外力（例えば電子機器Ｅに作用する重力）によって取付部材４と第２取付部材５とが位置ずれしたり、回動部材４２による係止部５２、５３の係止が解除されたりすることが抑制される。また、突起４１３が四角錐状であることで、係止部５２を回動部材４２に挿通する場合でも係止部５３を挿通する場合でも（取付部材４に対して第２取付部材５を９０°回転させても）、突起４１３は山部５４同士の間の谷状の部分と噛み合う。
【００６４】
また、前記実施例では、回動部材２２が、取付面Ｅ１に対して直交するように起立した起立位置を安定位置とするものとしたが、例えば、磁石の磁極の向きを取付面に対して傾斜させたり、前記変形例のように規制部を設けたりすることにより、取付面に対して多少の傾斜を有して起立した起立位置を安定位置としてもよい。
【００６５】
また、前記実施例では、起立位置に位置づけられた回動部材２２が２つの当接部２２１、２２２によって取付面Ｅ１に当接するものとしたが、例えば帯状の部材によって回動部材を形成することにより、底面２１１の長辺方向（挿通部に交差する方向）に沿って延びる面によって取付面に当接する構成としてもよい。このような構成によれば、前記実施例と同様に、起立位置において回動部材が回動しにくくなり、安定して使用することができる。また、例えば磁石の磁力が充分に強く、起立位置において回動部材が充分に回動しにくい場合には、回動部材はこのような形状を有していなくてもよい。
【００６６】
また、前記実施例では、一対の取付ユニット２０Ａ、２０Ｂにおける磁石２３が、磁極の向きが互いに反対となるように配置されるものとしたが、互いの磁力が影響を及ぼし合いにくい場合には、磁極の向きが同じになるように磁石を配置してもよい。
【００６７】
また、前記実施例では、電子機器Ｅを第１部材とするとともにインストルメントパネルＩを第２部材とするものとしたが、インストルメントパネルＩを第１部材とするとともに電子機器Ｅを第２部材としてもよい。
【００６８】
また、前記実施例では、取付部材２及び第２取付部材３を備えた取付装置１によって第１部材に第２部材を取り付けるものとしたが、取付部材のみによって第１部材に第２部材を取り付けてもよい。例えば、車両の座席を第１部材とするとともにその背面を取付面とし、環状の回動部材を有する取付部材を固定する構成としてもよい。このような構成によれば、回動部材を起立位置に位置づけることによって第２部材に設けられたフック等を掛けることができる。このとき、第２部材の重量によって回動部材が倒伏位置まで回動してもよい。また、不使用時には倒伏位置に位置づければよい。このような構成においても、回動部材が２つの安定位置を有することで、使用の目的や状態に応じて回動部材をいずれかの安定位置に位置づけることによって利便性を向上させることができる。
【００６９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７０】
１、１０                          取付装置
２、４                            取付部材
２０Ａ、２０Ｂ                    取付ユニット
２１１Ａ、２１１Ｂ、４１２Ａ      挿通部
２２、４２                        回動部材
２１０                            底面（対向内面）
２２３、４２１                    被挿通部
２２１、２２２                    当接部
２３、４３                        磁石
３、５                            第２取付部材
３４、５５                        磁性体
３３１〜３３４、５２、５３        係止部
Ｉ                                インストルメントパネル（第１部材）
Ｉ１                              取付面
Ｅ                                電子機器（第２部材）
Ｅ１                              取付面
【図１】
2018003913.tif 000003
【図２】
2018003913.tif 000004
【図３】
2018003913.tif 000005
【図４】
2018003913.tif 000006
【図５】
2018003913.tif 000007
【図６】
2018003913.tif 000008
【図７】
2018003913.tif 000009
【図８】
2018003913.tif 000010
【図９】
2018003913.tif 000011
【図１０】
2018003913.tif 000012
【図１１】
2018003913.tif 000013